(57)【特許請求の範囲】
【請求項１】
貫通穴を有し、この貫通穴内へ棒状芯材を取り付けた芯チャックを軸方向摺動自在に挿入したカートリッジと、このカートリッジを中具を介して装着自在かつ相対回転自在に嵌合する容器本体と、前記相対回転により前記芯チャックを前記カートリッジの先端側へ繰り出しあるいは後端側へ引き込む機構と、を備えたカートリッジ式繰出容器であって、
前記中具を合成樹脂製で筒状に成形し、
前記中具の筒外周面の一部に前記容器本体と嵌合する外周面嵌合部と筒内周面の一部に前記カートリッジと装着自在かつ相対回転自在に嵌合する内周面嵌合部とを設けると共に、前記外周面嵌合部と前記内周面嵌合部との間の筒周面において周方向に切り欠いたスリットを組み合わせた切欠き穴を設け、
前記中具と前記容器本体とで容器カバー部を形成し、
この容器カバー部の外部より加わる衝撃を前記中具の切欠き穴で緩衝して前記内周面嵌合部と嵌合する前記カートリッジには伝えないことを特徴とするカートリッジ式繰出容器。
【請求項２】
貫通穴を有し、この貫通穴内へ棒状芯材を取り付けた芯チャックを軸方向摺動自在に挿入したカートリッジと、
このカートリッジを相対回転自在かつ着脱自在に収納する筒状の容器本体と、
前記容器本体の筒内周面に軸方向に沿って突設し、この突部端面に傾斜面を設けた第１の縦リブと、
前記容器本体の筒内に収納自在な略円筒形状をなし、この略円筒内周面に前記芯チャックと螺合するネジ部を有し、前記カートリッジと相対回転自在に係合するネジ筒と、
前記ネジ筒の略円筒外周面に軸方向に沿って突設し前記第１の縦リブと軸方向移動自在に噛合する第２の縦リブと、
合成樹脂製で筒形状をなし、この筒外周面の一部に前記容器本体と嵌合する外周面嵌合部と筒内周面の一部に前記カートリッジと装着自在かつ相対回転自在に嵌合する内周面嵌合部とを有すると共に、前記外周面嵌合部と前記内周面嵌合部との間の筒周面において周方向に切り欠いたスリットを組み合わせた切欠き穴を有する中具と、を備え、
前記相対回転時に前記第１の縦リブと第２の縦リブとが噛合して前記容器本体と前記ネジ筒が一体回転し、前記ネジ筒と螺合する前記芯チャックを前記カートリッジの先端側へ繰り出しあるいは後端側へ引き込むカートリッジ式繰出容器であって、
前記カートリッジの貫通穴に前記芯チャックを係止する係止部を設け、前記芯チャックが繰出されて前記カートリッジの前記係止部に当接し更に前記芯チャックが繰出された時、前記カートリッジが前記中具の内周面嵌合部を前記先端側に押圧して前記切欠き部を縮小させ、前記芯チャックと螺合関係にある前記ネジ筒が前記縮小分先端側に移動することで、前記第１の縦リブと第２の縦リブの噛合状態が前記第１の縦リブの傾斜面位置で解除されることを特徴とするカートリッジ式繰出容器。
【請求項３】
前記第２の縦リブの突部端面に傾斜面を設けた請求項２記載のカートリッジ式繰出容器。
【発明の詳細な説明】
【０００１】
【発明の属する技術分野】
本発明は、アイライナー、アイブロー、リップライナー、アイシャドーなどの棒状化粧料をこれを保持する芯チャックに取り付け、この芯チャックを先筒と称する筒体に組み込んでカートリッジに形成し、このカートリッジをこれを着脱自在に取り付ける容器本体から繰り出すカートリッジ式繰出容器に関するものである。
【０００２】
【従来の技術】
アイライナー、アイブロー、リップライナー、アイシャドーなどの棒状化粧料を芯チャックに取り付け、さらに芯チャックを先筒内に組み込んでカートリッジに形成し、このカートリッジを容器本体に相対回転可能に組み込んでカートリッジ式繰出容器としたものがある。
【０００３】
かかるカートリッジ式繰出容器は、芯チャックと螺合関係にある容器本体内のネジ筒（繰出機構）を相対回転させることによって、芯チャックを軸方向に移動させ棒状化粧料を繰り出すようにしたものである。
【０００４】
【発明が解決しようとする課題】
ところで、従来のカートリッジ式繰出容器は、芯チャック（移動体）と移動体を内包しそれを繰り出すための繰出機構を有する容器本体（容器カバー部）が直接係合している。そのために、カートリッジ式繰出容器を落とすなどして容器本体（容器カバー部）に衝撃的外力が加わった場合には、容器カバー部の衝撃が繰出機構を介して芯チャック（移動体）に伝わり、棒状化粧料が破損したり抜け落ちたりする虞がある。
【０００５】
また、従来のカートリッジ式繰出容器は、芯チャック先端部が先筒の先端部と当接するまで最大に繰り出され、更に相対回転させて繰出機構にトルクをかけると、芯チャックの前進がカートリッジを押圧してカートリッジを容器本体より抜け出させたり、芯チャックと繰出機構とが分解する方向に作用してしまう。
【０００６】
以上から本発明は前記課題に鑑みて創案されたものであり、カートリッジ式繰出容器に緩衝的外力が加わっても、棒状化粧料の破損や抜け落ちがないカートリッジ式繰出容器を提供することを技術的課題とする。
また、本発明は最大繰出時を越えて更にトルクをかけても、カートリッジが容器本体より抜け出たり、芯チャックと繰出機構とが分解する方向に荷重が加わらないカートリッジ式繰出容器を提供することを技術的課題とする。
【０００７】
【課題を解決するための手段】
前記課題を達成するために、本発明のカートリッジ式繰出容器は以下の手段を採用した。
すなわち、本発明のカートリッジ式繰出容器は、貫通穴を有し、この貫通穴内へ棒状芯材を取り付けた芯チャックを軸方向摺動自在に挿入したカートリッジと、このカートリッジを中具を介して装着自在かつ相対回転自在に嵌合する容器本体と、前記相対回転により前記芯チャックを前記カートリッジの先端側へ繰り出しあるいは後端側へ引き込む機構と、を備えたカートリッジ式繰出容器であって、
前記中具を合成樹脂製で筒状に成形し、前記中具の筒外周面の一部に前記容器本体と嵌合する外周面嵌合部と筒内周面の一部に前記カートリッジと装着自在かつ相対回転自在に嵌合する内周面嵌合部とを設けると共に、前記外周面嵌合部と前記内周面嵌合部との間の筒周面において周方向に切り欠いたスリットを組み合わせた切欠き穴を設け、前記中具と前記容器本体とで容器カバー部を形成し、この容器カバー部の外部より加わる衝撃を前記中具の切欠き穴で緩衝して前記内周面嵌合部と嵌合する前記カートリッジには伝えないことを特徴とする。
【０００８】
この構成によれば、中具を介してカートリッジを容器本体に装着すると、カートリッジが中具に回転可能で軸方向に離脱不能に組み込まれる。また、カートリッジは中具の後端側が切欠き穴の緩衝性により開口側および回転方向に移動するときは同期して移動が可能となる。カートリッジ式繰出容器を床等に落下させた場合を考えると、落下による緩衝的外力が容器カバー部に加わった時、合成樹脂製である中具自身の可撓性と切欠き穴を圧縮して軸方向および回転方向に移動可能とする緩衝性が作用し、落下による衝撃が緩和されてカートリッジ側には伝わらない。従って、衝撃が芯チャックには伝わらないので、芯チャックに挿入されている棒状芯材が抜け落ちたり、破損するようなことはない。
【０００９】
また、本発明のカートリッジ式繰出容器は、貫通穴を有し、この貫通穴内へ棒状芯材を取り付けた芯チャックを軸方向摺動自在に挿入したカートリッジと、このカートリッジを相対回転自在かつ着脱自在に収納する筒状の容器本体と、前記容器本体の筒内周面に軸方向に沿って突設し、この突部端面に傾斜面を設けた第１の縦リブと、前記容器本体の筒内に収納自在な略円筒形状をなし、この略円筒内周面に前記芯チャックと螺合するネジ部を有し、前記カートリッジと相対回転自在に係合するネジ筒と、前記ネジ筒の略円筒外周面に軸方向に沿って突設し前記第１の縦リブと軸方向移動自在に噛合する第２の縦リブと、合成樹脂製で筒形状をなし、この筒外周面の一部に前記容器本体と嵌合する外周面嵌合部と筒内周面の一部に前記カートリッジと装着自在かつ相対回転自在に嵌合する内周面嵌合部とを有すると共に、前記外周面嵌合部と前記内周面嵌合部との間の筒周面において周方向に切り欠いたスリットを組み合わせた切欠き穴を有する中具と、を備え、前記相対回転時に前記第１の縦リブと第２の縦リブとが噛合して前記容器本体と前記ネジ筒が一体回転し、前記ネジ筒と螺合する前記芯チャックを前記カートリッジの先端側へ繰り出しあるいは後端側へ引き込むカートリッジ式繰出容器であって、
前記カートリッジの貫通穴に前記芯チャックを係止する係止部を設け、前記芯チャックが繰出されて前記カートリッジの前記係止部に当接し更に前記芯チャックが繰出された時、前記カートリッジが前記中具の内周面嵌合部を前記先端側に押圧して前記切欠き部を縮小させ、前記芯チャックと螺合関係にある前記ネジ筒が前記縮小分先端側に移動することで、前記第１の縦リブと第２の縦リブの噛合状態が前記第１の縦リブの傾斜面位置で解除されることを特徴とする。
【００１０】
この構成によれば、更に繰出方向に相対回転させ芯チャックを最大に繰り出すと、芯チャックの先端がカートリッジ先端の係止部に当接し、芯チャックはそれ以上前には進まない。しかし、更に相対回転を持続すると、芯チャックに押圧されてカートリッジが前方へ移動しようとし、係合部を介して中具の切欠き穴を圧縮する。すると、ネジ筒を含むカートリッジが切欠き穴の圧縮分だけ前方へ移動すると共に、第１の縦リブの傾斜面が第２の縦リブの端面を押し出すように作用し、第２の縦リブと第１の縦リブ同士の噛合状態を解除し、容器本体の回転がネジ筒に伝達されない。従って、第１の縦リブに設けた傾斜面がトルクリミッターとしての役割を果たし、カートリッジが容器本体より離脱したり、カートリッジ内において先筒、芯チャック、およびネジ筒が相互に分解することはない。
【００１１】
なお、縦リブ同士の噛合状態が解除された状態で、相対回転を中止すれば、切欠き穴の圧縮中止による弾性が中具の後端側に生じ、カートリッジを後端側に移動させる。すると、ネジ筒の第２の縦リブと容器本体の第１の縦リブとが噛合状態に復帰する。
【００１２】
更に、本発明のカートリッジ式繰出容器は、前記第２の縦リブの突部端面に傾斜面を設けた構成のものも例示できる。この例示によれば、第１の縦リブ側の傾斜面に向かい合う側の第２の縦リブも傾斜面なので、縦リブ同士の噛合解除が円滑に行える。
【００１３】
【発明の実施の形態】
以下、本発明の実施の形態に係るカートリッジ式繰出容器を図１〜図１４に基づいて詳細に説明する。なお、この実施の形態ではカートリッジ内に棒状芯材として棒状化粧料（アイライナー）Ｍを収納し、カートリッジと容器本体との相対回転により、棒状化粧料Ｍを繰り出すカートリッジ式繰出容器として説明する。
【００１４】
［カートリッジ式繰出容器１の構造］
カートリッジ式繰出容器１は、図１に示すように、その全体形状が筆記具のごとき細長い棒状をしたものであり、容器本体１０と、容器本体１０内に一部挿入されて容器本体１０と嵌合する中具２０と、この中具２０および容器本体１０に組み込まれ回転自在に係合するカートリッジ３０と、このカートリッジ３０を覆うキャップ４１，４２と、を備えている。なお、容器本体１０と中具２０とキャップ４１，４２はカートリッジ３０をカバーする容器カバー部を構成する。
【００１５】
［容器本体１０］
容器本体１０は、図１〜図３に示すように、中空円筒形をしており、その中に中具２０を介してカートリッジ３０の一部すなわち先筒３１の一部と、ネジ筒３３の全部とを収納する。
【００１６】
容器本体１０の筒内部１０ａは中間位置を中仕切１１で仕切られている。そして、容器本体１０はこの中仕切１１を境に左右が同じ機能を有する形状に形成されている。すなわち、容器本体１０の開口側には筒内部１０ａの内径よりやや大きい段穴１２が形成され、この段穴１２からＬ寸法離れた内周面に環状の溝部１３が形成されている。
【００１７】
また、中仕切１１には、開口側に向けて４本の縦リブ（第１の縦リブ）１４と４本の当接部１５が形成されている。縦リブ１４は中仕切１１より開口側に４本等間隔に配置される。なお、この縦リブ１４の開口側に向かう突部端面は６０°の角度の傾斜面１４ａが形成されている。この縦リブ１４は後述するネジ筒３３の縦リブ（第２の縦リブ）３３ｇと噛合する。また、当接部１５も中仕切１１より開口側に４本等間隔に配置される。この当接部１５は後述する中具２０の段部２６と当接する。
【００１８】
［中具２０］
中具２０は合成樹脂製であり、図４に示すように、略円筒形をなし、全長の１／３程度先端よりの位置に環状鍔部２１が外周面に沿って形成されている。この環状鍔部２１は容器本体１０の段穴１２と係合する。また、環状鍔部２１を境に先端側２２の外周面がキャップ４１，４２を着脱可能に形成され、後端側２３の外周面が容器本体１０に嵌入可能に形成されている。
【００１９】
そして、環状鍔部２１から後端側２３にＬ寸法離れた外周面には環状の突条（外周面嵌合部）２４が形成され、後端側２３の端部にも環状の段部２６が形成されている。そして、突条２４が溝部１３に嵌入すると、この印篭関係により環状鍔部２１近傍が軸方向移動不能に固定される。一方、段部２６は当接部１５に当接し、中具２０は容器本体１０に固定される。
【００２０】
また、後端側２３の外周面は環状鍔部２１近傍と段部２６が一段高く形成され、環状鍔部２１近傍と段部２６との間の外周面は低く形成されている。この環状の突条２４と環状の段部２６との間の外周面には、スリットをらせん状に切り欠いた切欠き穴２５が形成されている。そして、中具２０の後端側２３はこの切欠き穴２５により伸縮であり、緩衝性を有する。従って、段部２６は切欠き穴２５を圧縮した場合、開口側に移動可能である。
【００２１】
また、前端側２２の内周面には、環状溝部２７（図１参照）が凹状に形成され、後端側２３端部近傍の内周面には、環状凸部（内周面嵌合部）２８が後端側２３の内側に突出して形成されている。この環状凸部２８は後述する先筒３１の周溝部３１ｃと嵌合する。
【００２２】
［カートリッジ３０］
カートリッジ３０は、図５に示すように、棒状化粧料Ｍを収納する先筒３１と、棒状化粧料Ｍを把持する芯チャック３２と、芯チャック３２と螺合関係にあるネジ筒３３と、を備えている。
【００２３】
［先筒３１］
先筒３１は、図５および図６に示すように、大径部３１ａとこの大径部３１ａ後端に連続する小径部３１ｂとから形成されている。大径部３１ａはその横断面が円形をし、かつ先端に向けて次第に細くなる先細り形状をなしている。一方、小径部３１ｂは、後端よりの外周面に周方向に巡らせた周溝部３１ｃが形成されている。小径部３１ｂの外径は中具２０の内径より小さく、挿入可能に形成されている。そして、カートリッジ３０を中具２０に装着する際、中具２０の先端が先筒３１の段部３１ｆに当接し、小径部３１ｂの周溝部３１ｃに中具２０側の環状凸部２８が噛合することで、先筒３１（カートリッジ３０）は中具２０に回転可能で軸方向に離脱不能に組み込まれる。また、先筒３１は切欠き穴２５の緩衝性により中具２０の後端側２３が開口側に移動するときは同期して移動する。
【００２４】
また、先筒３１にはその長手方向に、棒状化粧料Ｍのみ通過可能な小径穴３１ｇが形成されると共に、芯チャック３２及びネジ筒３３を収納する貫通穴３１ｄが形成されている。この貫通穴３１ｄにはその先端側からの一定距離および後端側からの一定距離を除き、十字方向に突出する突条３１ｅ（図７参照）が長手方向（軸方向）に沿って形成されている。なお、小径穴３１ｇと大径部３１ａとの段部（係止部）により先端側に移動した芯チャック３２は係止される。また、貫通穴３１ｄの後端側には、貫通穴３１ｄに嵌挿するネジ筒３３を軸方向移動不能に係止するための環状凹部３１ｈが形成されている。更に、貫通穴３１ｄの後端は、貫通穴３１ｄの穴径よりやや大きい径の段付穴３１ｉが形成されている。
【００２５】
［芯チャック３２］
芯チャック３２は、図８および図１０に示すように、棒状化粧料Ｍを把持する把持部３２ａと、この把持部３２ａの後端に連続するネジ軸３２ｂとから形成されている。
【００２６】
把持部３２ａは先筒３１の貫通穴３１ｄに挿入可能な略円柱形状をなす。また、把持部３２ａは棒状化粧料Ｍを挿入するための挿入穴３２ｃが先端側に形成されている。この挿入穴３２ｃ内には、４本の凸条３２ｄが軸方向に沿って形成されている。この４本の凸条３２ｄにより、棒状化粧料Ｍの回転方向移動を防止して棒状化粧料Ｍを把持する。更に、把持部３２ａの外周面には、先筒３１の内面に形成された十字方向の突条３１ｅに対応して十字方向に４個所の切欠き３２ｅ（図７参照）が軸方向に沿って形成されている。この切欠き３２ｅの幅寸法は先筒３１の突条３１ｅの幅寸法よりやや大きめであり、先筒３１の貫通穴３１ｄに芯チャック３２を収納する際、切欠き３２ｅが先筒３１の突条３１ｅに噛合することで、芯チャック３２は貫通穴３１ｄ内を回転不能かつ軸方向摺動自在に収納される。よって、先筒３１の突条３１ｅは、芯チャック３２を貫通穴３１ｄに沿って案内する案内片であり、芯チャック３２の切欠き３２ｅは案内溝といえる。
ネジ軸３２ｂはネジ筒３３と螺合するネジ溝が形成されている。
【００２７】
［ネジ筒３３］
ネジ筒３３は合成樹脂製であり、図１１から図１５に示すように、円筒軸部３３ａとこの円筒軸部３３ａに連続する円筒形のギア部３３ｂが形成され、円筒軸部３３ａ及びギア部３３ｂを貫通する貫通穴３３ｃが形成されている。
【００２８】
貫通穴３３ｃの内周面には、図１２に示すように、突起３３ｄが２個所形成されている。この突起３３ｄはネジ軸３２ｂのネジ溝と螺合することによって、ネジ筒３３の回転を芯チャック３２に伝える。
【００２９】
ギア部３３ｂは鍔部３３ｅを有する段付円筒形であり、小径部３３ｆ外周面には軸方向に沿って縦リブ（第２の縦リブ）３３ｇが形成されている。この縦リブ３３ｇは周方向に等間隔に８本形成されている（図１３参照）。また、この縦リブ３３ｇの突部端面は４５°の角度の傾斜面３３ｈが形成されている。
【００３０】
また、円筒軸部３３ａのギア部３３ｂ側の外周面には、円周方向に沿って突出する環状凸部３３ｉが形成されると共に、ギア部３３ｂと接続する部位において一定距離の間、円筒軸部３３ａの外径よりやや大きい環状段部３３ｊが形成されている。なお、この環状段部３３ｊの軸方向の長さは、先筒３１の段付穴３１ｉの長さより小さいものであり、環状段部３３ｊの軸径は段付穴３１ｉの穴径より小さく形成されている。
【００３１】
更に、環状段部３３ｊの外周面には、図１１に示すように、コ字状割溝３３ｋが２箇所穿設されている。このコ字状割溝３３ｋは１８０°異なる位置に２箇所穿設されている。そして、環状段部３３ｊの外周面においてコ字状割溝３３ｋの穿設により形成される２箇所の半島部３３ｍ，３３ｍには、その外壁より突出する係合突部３３ｎ，３３ｎが２箇所形成されている。この突出する係合突部３３ｎ，３３ｎの頂部間の寸法は先筒３１の段付穴３１ｉの穴径よりもやや大きく形成されている。なお、半島部３３ｍ，３３ｍは合成樹脂製の可撓性により板ばねの役割を果たす。
【００３２】
そして、円筒軸部３３ａを先筒３１の貫通穴３１ｄおよび段付穴３１ｉに挿入して先筒３１の後端部と鍔部３３ｅを当接させると、図１５に示すように、環状凸部３３ｉが環状凹部３１ｈに嵌入し、ネジ筒３３が先筒３１に軸方向移動不能に係合する。また、係合突部３３ｎ，３３ｎは段付穴３１ｉの内周面に係合し、係合部において板ばね（半島部３３ｍ，３３ｍ）の弾発力による回転抵抗を発生させる。
【００３３】
そして、カートリッジ３０が容器本体１０に装着されると、縦リブ３３ｇと縦リブ１４が噛合する（図１４参照）。そして、カートリッジ３０と容器本体１０とを相対回転させると、ネジ筒３３が先筒３１間の回転抵抗に抗して容器本体１０と共に一体回転する。また、軸方向の移動に関して、ネジ筒３３が容器本体１０に対して開口側に所定距離移動すると、縦リブ３３ｇの傾斜面３３ｈと縦リブ１４の傾斜面１４ａとが向き合い、噛合状態が解除される。
【００３４】
［キャップ］
キャップ４１，４２は、図１に示すように、有底円筒形状に形成されている。そして、キャップ４１，４２は棒状化粧料Ｍの収納時に、先筒３１及び中具２０の先端部２２を環状鍔部２１まで挿入することによって先筒３１を覆うものである。このキャップ４１，４２は、中具２０の先端部２２の外周面の摩擦作用によって容易に着脱できるようになっている。
【００３５】
次に、カートリッジ式繰出容器１の作用を説明する。
［カートリッジ式繰出容器１の作用］
カートリッジ式繰出容器１は、カートリッジ３０を中具２０を介して容器本体１０に装着すると、中具２０の先端が先筒３１の段部３１ｆに当接し、小径部３１ｂの周溝部３１ｃに中具２０側の環状凸部２８が嵌合し、カートリッジ３０が中具２０に回転可能で軸方向に離脱不能に組み込まれる。また、カートリッジ３０（先筒３１）は中具２０の後端側２３が切欠き穴２５の緩衝性により開口側および回転方向に移動するときは同期して移動が可能となる。
【００３６】
そこで、キャップ４１，４２を装着したカートリッジ式繰出容器１（図１の状態）を床等に落下させた場合を考えると、落下による緩衝的外力が容器カバー部（容器本体１０およびキャップ４１，４２）に加わった時、合成樹脂製である中具２０自身の可撓性と切欠き穴２５を圧縮して軸方向および回転方向に移動可能とする緩衝性が作用し、落下による衝撃が緩和されてカートリッジ３０側（先筒３１、芯チャック３２およびネジ筒３３）には伝わらない。従って、衝撃が芯チャック３２には伝わらないので、芯チャック３２に挿入されている棒状化粧料Ｍが抜け落ちたり、破損するようなことはない。
【００３７】
次に、容器本体１０にカートリッジ３０を嵌合した状態でこれらを相対回転すると、図１６に示すように、容器本体１０に含まれている縦リブ１４とカートリッジ３０内のネジ筒３３の後部外周上に設けた縦リブ３３ｇとが係合し、ネジ筒３３が先筒３１間の回転抵抗に抗して容器本体１０と共に一体回転する。
【００３８】
ネジ筒３３が回転すると、ネジ筒３３内に螺合関係にある芯チャック３２は先筒３１に回転不能かつ軸方向移動自在に係合しているので、芯チャック３２が先筒３１内を進退動する。そして、棒状化粧料Ｍは先筒３１の貫通穴３１ｄより繰り出され、あるいは引き込まれる。なお、容器本体１０とカートリッジ３０との相対回転を停止すると、先筒３１の段付穴３１ｉ内周面とネジ筒３３の係合突部３３ｎ，３３ｎとの係合部において板ばね（半島部３３ｍ，３３ｍ）の弾発力による回転抵抗が発生しているので、先筒３１とネジ筒３３とは係合状態になる。従って、棒状化粧料Ｍを介して芯チャック３２に外力が作用しても、その外力より回転抵抗が勝っている範囲内において芯チャック３２は進退動しない。
【００３９】
そして、更に繰出方向に相対回転させ芯チャック３２を最大に繰り出すと、芯チャック３２の先端が先筒３１の小径穴３１ｇと貫通穴３１ｄとの段部に当接し、芯チャック３２はそれ以上前には進まない。しかし、更に相対回転を持続すると、芯チャック３２に押圧されて先筒３１が前方へ移動しようとし、印篭関係にある周溝部３１ｃと環状凸部２８とを介して中具２０の切欠き穴２５を圧縮する。すると、ネジ筒３３を含むカートリッジ３０が切欠き穴２５の圧縮分だけ前方へ移動すると共に、縦リブ１４の傾斜面１４ａが斜面で縦リブ３３ｇの傾斜面３３ｈを前方に押し出し、縦リブ３３ｇ，１４同士の噛合状態が解除され、容器本体１０の回転がネジ筒３３に伝達されない。従って、容器本体１０よりカートリッジ３０が離脱したり、カートリッジ３０内において先筒３１、芯チャック３２、およびネジ筒３３が相互に分解することはない。このように、この実施の形態では縦リブに設けた傾斜面が、トルクリミッターとしての役割を果たす。
【００４０】
なお、縦リブ３３ｇ，１４同士の噛合状態が解除された状態で、相対回転を中止すれば、切欠き穴２５の圧縮中止による弾性が中具２０の後端側２３に生じ、カートリッジ３０（先筒３１）を後端側に移動させる。すると、ネジ筒３３の縦リブ３３ｇと容器本体１０の縦リブ１４とが噛合状態に復帰する。
【００４１】
［別の実施の形態］
前記実施の形態では、容器本体１０の筒内部１０ａの両側にカートリッジ３０を装着したが、別の実施形態として、筒内部１０ａの片側に中に化粧料塗布具（スポンジでできたチップ）Ｎを装着してもよい。すなわち、図１７および図１８に示すように、中具２０を嵌着した容器本体１０に、カートリッジ３０の代わりに保持部材（テイルプラグ）４０に挟接された化粧料塗布具Ｎを挿入する。なお、実施の形態と別の実施の形態との違いは、中具に装着するものをカートリッジ３０に代えて保持部材４０および化粧料塗布具Ｎを装着したことの違いのみであり、他の部品は実施の形態と同じなのでその説明を省略する。
【００４２】
この別の実施の形態に示すように、本発明のカートリッジ式繰出容器は中具の内周面にカートリッジばかりでなく塗布具等化粧用具も装着可能であり、汎用性に富むものである。
【００４３】
なお、上記実施の形態では、縦リブの双方の突部端面に傾斜面を形成した形態で説明したが、本発明は傾斜面を縦リブの双方に形成した形態に限定されるものではない。すなわち、本発明は少なくとも第１の縦リブ側の突部端面に傾斜面があれば、中具の切欠き穴の弾性力による第２の縦リブの前方移動を傾斜面により更に押し出し、縦リブ同士の噛合状態を円滑に解除することができる。
【００４４】
また、上記実施の形態では、芯チャック３２の先端部と貫通穴の係止部を係合させたため係止部が貫通穴の先端側に設けられた形態となったが、本発明の係止部は芯チャックが貫通穴の先端側に移動した時に芯チャックを係止できればよいのであって、係止部の位置は貫通穴の先端側に限定されるものではない。
更に、棒状芯材は棒状化粧料に限定されるものではなく、棒状の顔料であってもよい。
【００４５】
【発明の効果】
以上本発明によれば、容器カバー部に加わる衝撃を合成樹脂製である中具自身の可撓性に加えて、中具に設けた切欠き穴により緩衝し、芯チャック及び棒状芯材に伝えない。
【００４６】
また、本発明によれば、最大繰出時を越えて更にトルクをかけても、中具の切欠き穴の弾性力と第１の縦リブに設けた傾斜面により、第２の縦リブと第１の縦リブ同士の噛合状態が解除され、カートリッジが容器本体より離脱したり、カートリッジ内において先筒、芯チャック、およびネジ筒が相互に分解することはなく、カートリッジ式繰出容器を長期にわたって使用できる。
【図面の簡単な説明】
【図１】  本発明の一実施の形態にかかるカートリッジ式繰出容器の縦断面図である。
【図２】  容器本体の斜視図である。
【図３】  容器本体の一部を断面した側面図である。
【図４】  中具の拡大斜視図である。
【図５】  カートリッジの縦断面図である。
【図６】  先筒の縦断面図である。
【図７】  先筒の正面図である。
【図８】  芯チャックの側面図である。
【図９】  芯チャックの側断面図である。
【図１０】  芯チャックの正面図である。
【図１１】  ネジ筒の外径斜視図である。
【図１２】  ネジ筒の側断面図である。
【図１３】  ネジ筒の後部矢視図である。
【図１４】  容器本体の正面図である。
【図１５】  カートリッジ後部の拡大縦断面図である。
【図１６】  カートリッジ式繰出容器において棒状化粧料を繰り出す場合の説明図である。
【図１７】  本発明の別の実施の形態にかかるカートリッジ式繰出容器の縦断面図である。
【図１８】  本発明の別の実施の形態にかかるカートリッジ式繰出容器の全体図である。
【符号の説明】
１…カートリッジ式繰出容器
１０…容器本体
１０ａ…筒内部
１１…中仕切
１２…段穴
１３…溝部
１４…縦リブ（第１の縦リブ）
１４ａ…傾斜面
２０…中具
２１…環状鍔部
２２…先端部
２３…後端部
２４…突条（外周面嵌合部）
２５…切欠き穴
２６…環状段部
２８…環状凸部（内周面嵌合部）
３０…カートリッジ
３１…先筒
３１ａ…大径部
３１ｂ…小径部
３１ｃ…周溝部
３１ｄ…貫通穴
３１ｅ…突条
３１ｆ…段部
３１ｈ…環状凹部
３１ｉ…段付穴
３２…芯チャック
３２ａ…把持部
３２ｂ…ネジ軸
３２ｃ…挿入穴
３２ｄ…凸条
３２ｅ…切欠き
３３…ネジ筒
３３ａ…円筒軸部
３３ｂ…ギア部
３３ｃ…貫通穴
３３ｄ…突起
３３ｅ…鍔部
３３ｆ…小径部
３３ｇ…縦リブ（第２の縦リブ）
３３ｈ…傾斜面
３３ｉ…環状凸部
３３ｊ…環状段部
３３ｋ…コ字状割溝
３３ｍ…半島部
３３ｎ…係合突部
４０…テイルプラグ
４１…キャップ
４２…キャップ
Ｍ…棒状化粧料
Ｎ…スマッジャ
【図１】
0003636629.tif 000002
【図２】
0003636629.tif 000003
【図３】
0003636629.tif 000004
【図４】
0003636629.tif 000005
【図５】
0003636629.tif 000006
【図６】
0003636629.tif 000007
【図７】
0003636629.tif 000008
【図８】
0003636629.tif 000009
【図９】
0003636629.tif 000010
【図１０】
0003636629.tif 000011
【図１１】
0003636629.tif 000012
【図１２】
0003636629.tif 000013
【図１３】
0003636629.tif 000014
【図１４】
0003636629.tif 000015
【図１５】
0003636629.tif 000016
【図１６】
0003636629.tif 000017
【図１７】
0003636629.tif 000018
【図１８】
0003636629.tif 000019